(57)【要約】【課題】天面壁（４）に形成されている案内垂下片（１０）が容器の口頸部（１０２）に進入するのに先立って、スカート壁（６）の内周面下端部に形成されている係止突条（１２）が口頸部（１０２）に形成されている被係止突条（１０４）に作用する、従って天面壁（４）の内面に形成されている案内垂下片（１０）が充分確実に口頸部（１０２）内に進入することができるにも拘らず、口頸部（１０２）から容器蓋（２）を離脱せしめて口頸部（１０２）を開封する際の必要力が過大になってしまうことが回避される、容器及び容器と容器蓋の組み合わせを提供する。【解決手段】口頸部（１０２）に形成する被係止突条（１０４）を、軸線方向長さが比較的大きい円筒形外周面（１０６）を有する形態であるが、かかる外周面（１０６）には周方向に連続して延び且つ半径方向外方に開放された環状凹部（１０８）が形成されている形態にせしめる。【選択図】図１
2015182811.tif 000002
【特許請求の範囲】
【請求項１】
円筒形状の口頸部を有し、該口頸部の外周面には半径方向外方に突出し且つ円筒形外周面を有する環状被係止突条が形成されている容器において、
該環状被係止突条の該外周面には周方向に連続して延び且つ半径方向外方に開放された環状凹部が形成されている、ことを特徴とする容器。
【請求項２】
円筒形状の口頸部を有し、該口頸部の外周面には半径方向外方に突出し且つ円筒形外周面を有する環状被係止突条が形成されている容器と、円形天面壁及び該天面壁の周縁から垂下する円筒形スカート壁を有し、該天面壁の内面外周縁部には該容器の該口頸部内に進入せしめられる円筒形状の案内垂下片が形成され、該スカート壁の内周面下端部には環状係止突条が形成されている合成樹脂製容器蓋との組み合わせにおいて、
該容器の該環状係止突条の該外周面には周方向に連続して延び且つ半径方向外方に開放された環状凹部が形成されており、
該容器の該口頸部に該容器蓋を被嵌して該口頸部に対して該容器蓋を下降せしめると、該容器蓋の該係止突条が該口頸部の該被係止突条に当接せしめられた後に該容器蓋の該案内垂下片が該口頸部内へ進入され始め、該容器蓋の該案内垂下片が該口頸部内へ進入され始めた後に該容器蓋の該係止突条が該口頸部の該被係止突条を弾性的に乗り越えて該被係止突条に係止せしめられる、ことを特徴とする組み合わせ。
【発明の詳細な説明】
【技術分野】
【０００１】
本発明は、円筒形状の口頸部の外周面には半径方向外方に突出環状被係止突条が形成されている形態の容器、及びかかる容器とその口頸部に装着される容器蓋との組み合わせに関する。
【背景技術】
【０００２】
下記特許文献１に開示されている如く、飲料用容器として、円筒形状の口頸部を備えた、合成樹脂或いはガラスから形成された容器が広く実用に供されている。口頸部の外周面には半径方向外方に突出する環状被係止突条が形成されている。そして、かような容器の口頸部を密封する容器蓋として、口頸部に被嵌し下方に強制することによって口頸部に装着される所謂打栓式の合成樹脂製容器蓋が使用されている。容器蓋は円形天面壁及びこの天面壁の周縁から垂下する円筒形スカート壁を有し、天面壁の内面外周縁部には口頸部内に進入せしめられる円筒形状の案内垂下片が形成され、スカート壁の内周面下部には口頸部の被係止突条に係止せしめられる環状係止突条が形成されている。
【先行技術文献】
【特許文献】
【０００３】
【特許文献１】特許第４９２００７号公報
【発明の概要】
【発明が解決しようとする課題】
【０００４】
上述したとおりの容器と容器蓋との組み合わせにおいては、容器の口頸部に容器蓋を装着するために口頸部に被嵌した容器蓋を下方に強制する際には、最初に容器蓋のスカート壁の内周面下端部に形成されている係止突条が口頸部に形成されている被係止突条に作用し、これによって口頸部に対して容器蓋の傾斜が概略矯正され、次いで容器蓋の天面壁の内面に形成されている案内垂下片が口頸部内に進入して口頸部に対して容器蓋が充分精密に同心状に位置せしめられ且つ口頸部に対する容器蓋の傾斜が充分精密に矯正されることが望まれる。スカート壁の内周面下端部に形成されている係止突条が口頸部に形成されている被係止突条に作用する前に、天面壁に形成されている案内垂下片が口頸部に進入する形態の場合には、口頸部に対する容器蓋の過剰傾斜に起因して案内垂下片が口頸部内に進入せしめられなくなってしまう傾向がある。然るに、天面壁に形成されている案内垂下片が口頸部に進入するのに先立って、スカート壁の内周面下端部に形成されている係止突条が口頸部に形成されている被係止突条に作用する形態にせしめるためには、被案内突条の外周面を軸線方向長さが比較的大きい円筒形にせしめることが必要である。一方、被案内突条の外周面を軸線方向長さが比較的大きい円筒形にせしめると、口頸部に容器蓋が所要とおりに装着された状態において、口頸部の被係止突条の外周面とスカート壁の内周面との密接面積が比較的大きくなり、これに起因して口頸部から容器蓋を離脱せしめて口頸部を開封する際に必要力が過大になってしまう傾向がある。
【０００５】
本発明は上記事実に鑑みてなされたものであり、その主たる技術的課題は、天面壁に形成されている案内垂下片が口頸部に進入するのに先立って、スカート壁の内周面下端部に形成されている係止突条が口頸部に形成されている被係止突条に作用する、従って天面壁の内面に形成されている案内垂下片が充分確実に口頸部内に進入することができるにも拘らず、口頸部から容器蓋を離脱せしめて口頸部を開封する際の必要力が過大になってしまうことが回避される、容器及び容器と容器蓋の組み合わせを提供することである。
【課題を解決するための手段】
【０００６】
本発明者等は、鋭意検討の結果、口頸部の外周面に形成する被係止突条を、軸線方向長さが比較的大きい円筒形外周面を有する形態であるが、かかる外周面には周方向に連続して延び且つ半径方向外方に開放された環状凹部が形成されている形態にせしめることによって、上記主たる技術的課題を達成することができることを見出した。
【０００７】
即ち、本発明の一局面によれば、上記主たる技術的課題を達成する容器として、円筒形状の口頸部を有し、該口頸部の外周面には半径方向外方に突出し且つ円筒形外周面を有する環状被係止突条が形成されている容器において、
該環状被係止突条の該外周面には周方向に連続して延び且つ半径方向外方に開放された環状凹部が形成されている、ことを特徴とする容器が提供される。
【０００８】
本発明の他の局面によれば、上記主たる技術的課題を達成する容器と容器蓋との組み合わせとして、円筒形状の口頸部を有し、該口頸部の外周面には半径方向外方に突出し且つ円筒形外周面を有する環状被係止突条が形成されている容器と、円形天面壁及び該天面壁の周縁から垂下する円筒形スカート壁を有し、該天面壁の内面外周縁部には該容器の該口頸部内に進入せしめられる円筒形状の案内垂下片が形成され、該スカート壁の内周面下端部には環状係止突条が形成されている合成樹脂製容器蓋との組み合わせにおいて、
該容器の該環状係止突条の該外周面には周方向に連続して延び且つ半径方向外方に開放された環状凹部が形成されており、
該容器の該口頸部に該容器蓋を被嵌して該口頸部に対して該容器蓋を下降せしめると、該容器蓋の該係止突条が該口頸部の該被係止突条に当接せしめられた後に該容器蓋の該案内垂下片が該口頸部内へ進入され始め、該容器蓋の該案内垂下片が該口頸部内へ進入され始めた後に該容器蓋の該係止突条が該口頸部の該被係止突条を弾性的に乗り越えて該被係止突条に係止せしめられる、ことを特徴とする組み合わせが提供される。
【発明の効果】
【０００９】
本発明の容器及び容器と容器蓋との組み合わせにおいては、口頸部の外周面に形成されている被係止突条の円筒形外周面に周方向に連続して延び且つ半径方向外方に開放された環状凹部が形成されている故に、被係止突条の円筒形外周面の軸線方向長さが比較的大きく、従って天面壁に形成されている案内垂下片が口頸部に進入するのに先立って、スカート壁の内周面下端部に形成されている係止突条が口頸部に形成されている被係止突条に作用するようにせしめても、被係止突条の外周面に形成されている環状凹部に起因して被係止突条の外周面とスカート壁の内周面との密接面積を可及的に低減され、従って口頸部から容器蓋を離脱せしめて口頸部を開封する際の必要力が過大になってしまうことが回避される。
【図面の簡単な説明】
【００１０】
【図１】本発明に従って構成された容器の口頸部を、一部を断面で示す正面図。
【図２】本発明に従って構成された容器と容器蓋の組み合わせにおける容器蓋を示す斜面図。
【図３】図２に図示する容器蓋の正面図。
【図４】図２に図示する容器蓋の平面図。
【図５】図２に図示する容器蓋の断面図。
【図６】図２に図示する容器蓋の一対のスコアを示す部分斜面図。
【図７−１】図１に示す容器の口頸部に図２乃至図６に図示する容器蓋を装着する様式を説明するための断面図。
【図７−２】図１に示す容器の口頸部に図２乃至図６に図示する容器蓋を装着する様式を説明するための断面図。
【図８−１】図１に示す容器の口頸部から図１乃至図６に図示する容器蓋を離脱する様式を説明するための断面図。
【図８−２】図１に示す容器の口頸部から図１乃至図６に図示する容器蓋を離脱する様式を説明するための断面図。
【発明を実施するための形態】
【００１１】
以下、本発明に従って構成された容器及び容器と容器蓋との組み合わせの好適実施形態を図示している添付図面を参照して、更に詳細に説明する。
【００１２】
図１を参照して説明すると、適宜の合成樹脂或いはガラスから形成することができる、本発明に従って構成された容器は、全体として円筒形状の口頸部１０２を有する。この口頸部１０２の外周面には環状被係止突条１０４が形成されており、被係止突条１０４は軸線方向長さ（幅）Ｗが比較的大きい、例えば１．５乃至３．０ｍｍである、円筒形外周面１０６を有する。被係止突条１０４の外周面には、周方向に連続して延び且つ半径方向外方に開放された環状凹部１０８が形成されていることが重要である。図示の実施形態においては、被係止突条１０４の外周面１０６における軸線方向中間部に環状凹部１０８が形成されており、環状凹部１０８の横断面形状は略矩形である。図示の実施形態においては、口頸部１０２の外周面には、更に、被係止突条１０４の下方に位置するサポートリング１１０も形成されている。それ自体は周知の形態であるサポートリング１１０は容器の搬送に利用される。
【００１３】
図２乃至図５を参照して説明すると、上記口頸部１０２に適用される全体を番号２で示す合成樹脂製容器蓋は、ポリエチレン或いはポリプロピレンの如き適宜の合成樹脂から射出又は圧縮成形によって一体に成形することができる。この容器蓋２は、円形天面壁４及び天面壁４の周縁から垂下する略円筒形状のスカート壁６を具備する。天面壁４の内面外周縁部には円筒状シール８が形成され、そしてまたシール８の内側に位置する円筒形状の案内垂下片１０が形成されている。スカート壁６の下部は下方に向かって半径方向外方に傾斜せしめられており、かような下部の内周面には係止突条１２が形成されている。更に、スカート壁６の下部には下端から上方に延びる複数個のスリット１４が周方向に等間隔をおいて配設されている。スリット１４の各々はスカート壁６の傾斜下部の上端まで延びており、係止突条１２はスリット１４が存在する部位を除いて周方向に連続して延在せしめられている。
【００１４】
図示の容器蓋２には、更に、天面壁４を超えて上方に延びる薄肉反転片１６が周方向に間隔をおいて複数個配設されている。かかる薄肉反転片１６の各々は、スカート壁６の外周面乃至天面壁４の上面とスカート壁６の外周面との境界部、図示の実施形態においてはスカート壁６の外周面上端部、に接続された下端から天面壁４を超えて上方に延出している。後述するとおりにして容器の口頸部から容器蓋２を離脱する際の容易性等の点から、周方向に等間隔をおいて形成されている薄肉反転片１６の数をｎ、薄肉反転片１２の各々の周方向幅をｗ、隣接する薄肉反転片１６間の周方向間隔をｇとすると、ｎ×ｗ＝０．８×ｎ×ｂ乃至６．０×ｎ×ｇである、即ち薄肉反転片１６の存在領域は非存在領域の０．８倍乃至６．０倍程度であるのが好適である。薄肉反転片１６の各々の厚さは０．３乃至０．５ｍｍ程度でよい。
【００１５】
上記薄肉反転片１６の上端には円筒形拘束壁１８が接続されている。図２及び図４と共に図６を参照することによって明確に理解されるとおり、拘束壁１８には周方向に３乃至１００度程度であるのが好都合である角度間隔をおいて一対のスコア（薄肉弱化部）２０が形成されている。一対のスコア２０の各々は拘束壁１８の上端から下端まで軸線方向に延在せしめられている。一対のスコア２０の各々の下端には、後述するとおりにしてスコア２０が破断される際の破断開始を促進するための切欠２２（図６）が形成されているのが好都合である。上記薄肉反転片１６の少なくとも１個、図示の場合は２個、の上端は、一対のスコア２０間において拘束壁１８に接続されている。更に、一対のスコア２０間において、拘束壁１８の外周面には突条２４が形成されており、この突条２４には開封リング２６が接続されている。換言すれば、拘束壁１８の外周面は突条２４を介して開封リング２６の内周面に接続されている。図示の実施形態においては、突条２４は拘束壁１８の上端から下端まで延在する略矩形状であり、開封リング２６の内周面は突条２４の下端部、従って拘束壁１８の下端部に接続されている。そして、拘束壁１８を囲繞する円形である開封リング２６は、突条２４に接続された部位からその直径方向反対側に向かって上方に傾斜せしめられている。拘束壁１８の外周面と開封リング２６の内周面とは周方向に適宜の間隔をおいて配設された複数個の破断接続片２８によって接続されている。上記突条２４の直径方向反対側の領域においては破断接続片２８が配設されていなくて、後述する如く容器の口頸部から容器蓋２を離脱せしめる際に、突条２４の直径方向反対側において開封リング２６に充分容易に指を掛けることができるのが好都合である。拘束壁１８の内周面上端部には環状突条３０が形成されている。所望ならば、一対のスコア２０に代えて一対のスリットを形成することもできる。
【００１６】
一対のスコア２０間において拘束壁１８の外周面に形成されている上記突条２４には、拘束壁１８の外周面に沿って周方向両側に延出する一対の延出片３２が付設されている。そして、一対の延出片３２の各々の延出端部内面には半径方向内方に突出する係合手段３４が形成されている。一方、拘束壁１８の外周面には係合手段３４に対抗して位置して係合手段３４と協働する被係合手段３６が形成されている。図示の実施形態においては、被係合手段３６は拘束壁１８の外周面に形成された凹部から構成されている。係合手段３４と被係合手段３６とは協働して、上記一対のスコア２０の周方向外側部が一対のスコア２０から周方向両側に離隔する方向に変位するのを制限する。
【００１７】
次に、図７Ａ乃至図７Ｄを参照して、上記容器蓋２を容器の口頸部１０２に装着する様式について説明する。口頸部１０２に容器蓋２を装着する際には、円柱形状の内側部材４６とこの内側部材４６を囲繞する円筒形状の外側部材４８とを具備する装着工具４４が使用される。装着工具４４の内側部材４６と外側部材４８とは夫々別個に昇降動せしめられる。
【００１８】
容器の口頸部３８に容器蓋２を装着する際には、図７Ａに図示する如く、最初に容器蓋２が口頸部１０２に被嵌され、装着工具４４の内側部材４６が容器蓋２の天面壁４に対向して位置せしめられ、外側部材４８が容器蓋２の拘束壁１８に対向して位置せしめられる。次いで、図７Ａと図７Ｂとを比較参照することによって明確に理解される如く、内側部材４６が下降されて容器蓋２が下方に強制され、シール８が口頸部３８の外周面上端部に密接せしめられて口頸部３８が密封される。図７Ａ及び図７Ｂを参照することによって明確に理解される如く、容器蓋２が下降される際には、最初にスカート壁６に形成されている係止突条１２が口頸部１０２の被係止突条１０４に作用し、口頸部１０２に対して容器蓋２が傾斜している場合には、かかる傾斜が概略矯正される。しかる後に、天面壁４の内面に形成されている案内垂下片１０が口頸部１０２内に進入し、口頸部１０２に対して容器蓋２が充分精密に同心状に位置せしめられ且つ口頸部１０２に対する容器蓋２の傾斜が充分精密に矯正される。案内垂下片１０の軸線方向中間部は口頸部１０２の内周面に接触せしめられるが、図示の実施形態においては口頸部１０２の密封はシール８によって確立される。スカート壁６はその下部が幾分半径方向外方に拡張され、内周面下部に形成されている係止突条８は口頸部１０２の係止突条４０の下方に位置する。図７Ａ及び図７Ｂに図示する状態においてはスカート壁６の下部は充分容易に半径方向外方に拡張することができ、天面壁４を下降せしめるのに必要な押圧力が過大になることはない。所望ならば、内側部材４６を図７Ｂに図示する位置まで下降せしめる際には、外側部材４８も図６Ｂに二点鎖線で図示する位置まで下降せしめることもできる。しかる後に、図７Ｂと共に図７Ｃ及び図７Ｄを参照することによって理解される如く、外側部材４８が下降されて拘束壁１８が漸次下降せしめられる。この際には、薄肉反転片１６は、スカート壁６と拘束壁１８との間で上方に延出する状態から下方に延出する状態に漸次反転せしめられる。そして、図７Ｄに図示するとおり、薄肉反転片１６が完全に反転されると、拘束壁１８はその全体がスカート壁６を囲繞する位置まで下降され、半径方向外方に拡張された状態であったスカート壁６の下部は半径方向内方に強制的に変位され、スカート壁６の内周面下部に形成されている係止突条１２が口頸部１０２の係止突条１０４に係止せしめられる。拘束壁１８が図７Ｄに図示する位置まで下降される際には、拘束壁１８には半径方向外方に拡張せしめんとする力が作用するが、係合手段３４と被係合手段３６とが協働して、一対のスコア２０の周方向外側部が一対のスコア２０から周方向両側に離隔する方向に変位するのを制限し、それ故に一対のスコア２０が破断させてしまうことが回避される（図１、図３及び図５を参照されたい）。
【００１９】
容器の口頸部１０２から容器蓋２を離脱せしめて口頸部１０２を開封する際には、図８Ａ及び図８Ｂに図示する如く、突条２４の直径方向反対側において開封リング２６に指を掛けて、突条２４に接続されている部位を旋回起点として開封リング２６を上方に旋回せしめる。この際には、破断接続片２８が破断され、これによって容器蓋２に開封操作が加えられたことが明示される。開封リング２０を更に上方に旋回せしめると、図８Ｃに図示す如く、拘束壁１８に形成されている一対のスコア２０が破断され、一対のスコア２０間に位置する薄肉反転片１６が天面壁４を超えて上方に延出する状態に再反転せしめられ、拘束壁１８の一対のスコア２０間に位置する部分と共に開封リング２６が上方に変位せしめられる。この際には、図８Ｂ及び図８Ｃを比較参照することによって理解される如く、再反転された薄肉反転片１６からスカート壁６に加えられる引張力によって効果的にシール８が口頸部１０２の外周面から局部的に離隔され、容器内が加圧状態であった場合には容器内の圧力が開放される。この時点において、スカート壁６の係止突条１２の大部分は未だ口頸部１０２の係止突条１０４に係止せしめられている故に、容器蓋２が偶発的に飛翔してしまう虞はない。図８Ｃに図示する状態になると、拘束壁１８によるスカート壁６の拘束が局部的に解除され、スカート壁６の下部の少なくとも一部は充分容易に半径方向外方に弾性的に変位せしめられ、従って充分容易に容器蓋２の全体を容器の口頸部１０２から離脱して口頸部１０２を開封することができる。口頸部１０２の被係止突条１０４の外周面１０６には環状凹部１０８が形成されており、口頸部１０２の被係止突条１０４の外周面１０６とスカート壁６の内周面との密接面積は充分に低減されている故に、被係止突条１０４の外周面１０６とスカート壁６の内周面との密接に起因して、口頸部１０２から容器蓋２を離脱せしめる際の必要力が過大になることはない。
【００２０】
上述した実施形態においては、薄肉反転片１６等を備えた特定形態の容器蓋２について詳細に説明したが、本発明はかかる特定形態の容器蓋２に限定されるものではなく、例えば上記特許文献１に記載されている形態の容器蓋の場合にも適用することができる。
【符号の説明】
【００２１】
２：容器蓋
４：天面壁
６：スカート壁
８：シール
１０：案内垂下片
１４：スリット
１６：薄肉反転片
１８：拘束壁
２０：スコア
２６：開封リング
１０２：容器の口頸部
１０４：被係止突条
１０６：被係止突条の外周面
１０８：環状凹部
【図１】
2015182811.tif 000003
【図２】
2015182811.tif 000004
【図３】
2015182811.tif 000005
【図４】
2015182811.tif 000006
【図５】
2015182811.tif 000007
【図６】
2015182811.tif 000008
【図７−１】
2015182811.tif 000009
【図７−２】
2015182811.tif 000010
【図８−１】
2015182811.tif 000011
【図８−２】
2015182811.tif 000012